(57)【要約】      （修正有）【課題】ベッド等でテレビモニター或いは食器用トレーといった物品を支持するスタンドの提供。【解決手段】勘合された方形状中空パイプ１及び２の内部にスプリング３の支点ａ及びｂを設け、方形状中空パイプが重ね合わさる方向に張設する。方形状中空パイプ１及び２の可動間接部に樹脂系の素材の摩擦抵抗板４及び５を設け、摩擦力及びスプリングの張力により、可動間接部を操作して任意の位置に固定できるようにする。パイプ１及びパイプ２の勘合部にはＤ形状ないしは多角形の周り止めになる形状で貫通穴ｃが設け、固定ボルト７と固定ナット６及びツメ付きの固定ワッシャー８により締め付け、緩み止めとする。又、先端にテレビモニターを取付けたくびれ形状の溝をもつ軸ボルト１１を樹脂系の材質の摩擦抵抗板９及び１０で狭圧してステー１２に固定する。【選択図】図１
2007195903.tif 000002
【特許請求の範囲】
【請求項１】
勘合された方形状中空パイプ１及び２の内部にスプリング３の一端を固定する支点ａを設け、スプリングの他方は２箇所以上の方形状中空パイプ１の可動方向に対し逆向きの力が働くように取付けられた支点ｂにて固定する。方形状中空パイプ２の上端に設置されたテレビモニター或いは食器トレーといった器具を可動間接部の操作により、任意の位置に自在に固定できる物品支持具。
【請求項２】
方形状中空の可動パイプ１及び固定パイプ２の可動間接部に樹脂系の素材の摩擦抵抗板４及び５を用いて摩擦抵抗板とパイプ間の摩擦力及びスプリング３張力により可動間接部を操作する事により任意の位置に固定する。パイプ１及びパイプ２の勘合部は同様のＤ形状ないしは多角形の周り止めになる形状の貫通穴ｃが設けられ、固定に使用する固定ボルト７及び固定ナット６には六角ないし多角形のものを使用し同心円状にツメをもった固定ワッシャー８とともに固定する。ボルト及びナットを十分に締めこんだ時点で固定ワッシャーのツメを立てることにより緩み止めとなり可動軸が動いてしまうのを防ぐうえ可動パイプ１の可動トルクを一定にする効果をもつ物品支持具。
【請求項３】
先端にテレビモニターを取付た樹脂系の材質の摩擦抵抗板９及び１０に挟圧されたくびれ形状の溝をもつ軸ボルト１１をボルト及びナットでステー１２に固定する。ステー１２はコ型金具１３に固定されコ型金具はＤ形状ないしは多角形の周り止めになる形状の貫通穴ｄが設けられている。コ型金具はパイプ１の終端とボルト及びナットで固定されている．ステー１２はコ型金具における軸Ｂの円周方向に可動可能である。軸ボルト１１は軸Ｃの円周方向及び軸Ｄの円周方向の動作が可能であり、摩擦抵抗板９及び１０の挟圧により、任意の角度にモニタースタンドを容易に調節する事が出来る物品支持具。
【発明の詳細な説明】
【産業上の利用分野】
【０００１】本発明は医療機関のベット等でテレビモニター或いは食器用トレーといった物品を支持するスタンドを開示する。
【従来のシステム及び発明が解決しようとする課題】
【０００２】医療機関等において入院患者等がテレビを見る場合、ベット脇に設置されたテレビモニターを観るのが一般的である。この場合患者の障害の程度によっては首等の自由が利かずにモニターを見るのが困難であり、或いは長時間見ると疲れてしまうといったケースは少なくなかった．そのためベットに寝たままでもテレビモニターを観られるよう従来このようなモニタースタンドの固定には図２に示すような形式を用いていた。この場合可動パイプ１及び固定パイプ２の固定には蝶ネジ或いはハンドル１４といったものを使用し、モニターを見たい位置に一旦固定してから間接部を締めるといった作業が必要になり大変面倒であるうえ、使用頻度が増えるにしたがって固定力が弱くなり次第にぐらついてしまう。
【課題を解決するための手段】
【０００３】  本発明による構成を図１に示す．勘合された方形状中空パイプ１及び２の内部にスプリング３の一端を固定する支点ａを設ける。スプリングの他方は２箇所以上の方形状中空パイプ２の可動方向に対し逆向きの力が働くように取付けられた支点ｂにて固定する。方形状中空パイプ１及び２の可動間接部に樹脂系の素材の摩擦抵抗板４及び５を用いて摩擦抵抗板とパイプ間の摩擦力及びスプリングの張力により可動間接部を操作する事により任意の位置に固定し、パイプ１及びパイプ２の勘合部は同様のＤ形状ないしは多角形の周り止めになる形状で貫通穴ｃが設けられ、固定に使用する固定ボルト７及び固定ナット６には六角ないし多角形のものを使用し同心円状にツメをもった固定ワッシャー８とともに固定する。ボルト及びナットを十分に締めこんだ時点で固定ワッシャーのツメを立てることにより緩み止めとなり可動軸が動いてしまうのを防ぐことができるうえ可動パイプ１の可動トルクを一定に保つ事が出来る。
【０００４】  支持物品にモニタースタンドを使用する際、利用者は自由にモニターの角度を可変する必要がありその為の機構を図３に示す。先端にテレビモニターを取付た樹脂系の材質の摩擦抵抗板９及び１０に挟圧されたくびれ形状の溝をもつ軸ボルト１１をボルト及びナットでステー１２に固定する。ステー１２はコ型金具１３に固定されコ型金具はＤ形状ないしは多角形の周り止めになる形状の貫通穴ｄが設けられている。コ型金具はパイプ１の終端とボルト及びナットで固定されている．ステー１２はコ型金具１３における軸Ｄの円周方向に可動可能である。軸ボルト１１は軸１６の円周方向Ｃ及び軸の外周方向Ｄの動作が可能であり、摩擦抵抗板９及び１０の挟圧により、任意の角度にモニタースタンドを容易に調節する事が出来る。
【０００５】使用者は可動パイプ１或いは支持物品等を持って任意の位置に支持物品を固定する事ができ、可動に際してはスプリングの強度を調整する事により女性或いはお年寄りでも容易に操作する事が可能となる．
【使用例】
【０００６】図４に使用例を示す．老人医療施設、病院等のベットにおいてベットの横に本モニタースタンドを固定する。患者或いは介護者は必要であれば容易にモニターを観たい位置に設定できる．近年本モニタースタンドに使用できるような薄型軽量の液晶モニタースタンドが多数販売されている．この場合ブラウン管型のテレビに比べて少ないスペースで済み施設側の負担も軽減できる．部屋に複数のベットがありその間隔が狭い場合でも本モニタースタンドは有効である．音声に関してもモニタースタンドにスピーカが組み込まれているものが支流である為、自分の聞きたい位置までモニターをもってくる事により隣の患者に迷惑がかからないよう配慮する事によりイヤホンを使用するといった煩わしさが無くなる。．図５は食器トレーに利用した例である．従来使用されているテーブル型のものでは例え小さなテーブルでも収納が大掛かりになっている．本スタンドは小さなテーブルを設置する場合でも有効である．
【発明の効果】
【０００７】現在、テレビは娯楽教養を含めて重要な情報源の一つである。脊髄損傷等により体の自由が利かず、テレビを思うように観ることができないことは精神的においても苦痛である．また、現在パーソナルコンピュータもビジネスに於いて欠かす事のできない道具となっているが同様な事由で使用できないことがある．そのような場合でも本モニタースタンドを使用することが有効であり、附属品の需要を促す事により経済効果も期待できる．
【図面の簡単な説明】
【図１】本発明におけるモニタースタンドの構成１  パイプ接続部
【図２】従来までのモニタースタンドパイプ接続部
【図３】本発明におけるモニタースタンドの構成２  モニター取付け部
【図４】使用例１  テレビモニター設置例
【図５】使用例２  食器トレー
【符号の説明】
１    可動パイプ
２    固定パイプ
３    スプリング
４    抵抗摩擦板
５    抵抗摩擦板
６    ナット
７    固定ボルト
８    固定ワッシャー
９    抵抗摩擦板
１０    抵抗摩擦板
１１    くびれ形状の溝を有するボルト
１２    ステー
１３    コ型金具
１４    レバー
【図１】
2007195903.tif 000003
【図２】
2007195903.tif 000004
【図３】
2007195903.tif 000005
【図４】
2007195903.tif 000006
【図５】
2007195903.tif 000007